(57)【要約】      （修正有）【課題】構造が簡単であり、片手で簡便にＬＥＤライトユニットの照明パラメータを調整することができて、優れた防水性を有する懐中電灯及びその制御回路を提供する。【解決手段】制御回路１００は、給電電源を提供する電源モジュール１０と、電源モジュールに接続され、懐中電灯の回転角度を検知して検出信号を出力するセンサモジュール２０と、電源モジュールに接続され、ＬＥＤライトユニット２００を駆動する駆動モジュール４０及びＬＥＤライトユニットと、センサモジュール及び駆動モジュールに接続され、検出信号に基づいて制御信号を出力することで、ＬＥＤライトユニットを駆動しＬＥＤライトの照明パラメータを調整するように駆動モジュールを制御する制御モジュール３０を備える。【選択図】図１
0003230572.tif 000002
【実用新案登録請求の範囲】
【請求項１】
ＬＥＤライトユニットに接続される懐中電灯の制御回路であって、
給電電源を提供する電源モジュールと、
前記電源モジュールに接続され、前記懐中電灯の回転角度を検知して検出信号を出力するセンサモジュールと、
電源モジュールに接続され、前記ＬＥＤライトユニットを駆動する駆動モジュールと、
前記センサモジュール及び前記駆動モジュールに接続され、前記検出信号に基づいて制御信号を出力することで、ＬＥＤライトユニットを駆動しＬＥＤライトの照明パラメータを調整するように前記駆動モジュールを制御する制御モジュールを備えることを特徴とする懐中電灯の制御回路。
【請求項２】
前記センサモジュールは加速度センサを備えることを特徴とする請求項１に記載の制御回路。
【請求項３】
前記制御モジュールに接続され、前記センサモジュールの中央値位置を設定するボタンモジュールをさらに備えることを特徴とする請求項１に記載の制御回路。
【請求項４】
前記ボタンモジュールは、中央値ボタンを備え、前記中央値ボタンの正面が上向きである場合、前記センサモジュールは前記中央値位置にあることを特徴とする請求項３に記載の制御回路。
【請求項５】
前記ＬＥＤライトユニットは、狭角投射ビーズライトと、前記狭角投射ビーズライトの周辺にある１組の広角投射ビーズライトを備えることを特徴とする請求項１に記載の制御回路。
【請求項６】
前記ＬＥＤライトユニットは、赤色ＬＥＤビーズライト、緑色ＬＥＤビーズライト及び青色ＬＥＤビーズライトを備え、前記赤色ＬＥＤビーズライト、緑色ＬＥＤビーズライト及び青色ＬＥＤビーズライトは、前記ＬＥＤライトユニットの発光色を示すことに用いられることを特徴とする請求項１に記載の制御回路。
【請求項７】
前記制御モジュールに接続され、前記懐中電灯の作動状態を指示する状態指示モジュールをさらに備えることを特徴とする請求項１に記載の制御回路。
【請求項８】
ＬＥＤライトユニットを備える懐中電灯であって、
請求項１〜７のいずれか１項に記載の制御回路を備えることを特徴とする懐中電灯。
【考案の詳細な説明】
【技術分野】
【０００１】
本考案は、照明の技術分野に属し、特に懐中電灯及びその制御回路に関する。
【背景技術】
【０００２】
現在、従来の懐中電灯のスイッチや照明パラメータの調整は、通常、ボタンやノブを用いた操作方式など、機械的構造の設計方式を採用しており、このような機械的構造を用いた方式は、通常、構造が複雑で、片手又は両手でボタンやノブの操作を制御するので、非常に操作されにくく、そして懐中電灯に孔を開ける必要があり、懐中電灯の完全性が損なわれ、懐中電灯の構造強度に影響を与え、且つ懐中電灯の密閉性能に悪影響を及ぼし、懐中電灯に要求される防水性を満たすために、複雑な防水構造を使用する必要がある。
【０００３】
したがって、従来の技術案には、懐中電灯は、構造が複雑であり、操作されにくく、防水性能が劣るという問題がある。
【考案の概要】
【考案が解決しようとする課題】
【０００４】
本考案の目的は、構造が複雑であり、操作されにくく、防水性能が劣るという従来の技術案の問題を解決するための懐中電灯の制御回路を提供することである。
【課題を解決するための手段】
【０００５】
ＬＥＤライトユニットに接続される懐中電灯の制御回路であって、
給電電源を提供する電源モジュールと、
前記電源モジュールに接続され、前記懐中電灯の回転角度を検知して検出信号を出力するセンサモジュールと、
電源モジュールに接続され、前記ＬＥＤライトユニットを駆動する駆動モジュールと、
前記センサモジュール及び前記駆動モジュールに接続され、前記検出信号に基づいて制御信号を出力することで、ＬＥＤライトユニットを駆動しＬＥＤライトの照明パラメータを調整するように前記駆動モジュールを制御する制御モジュールを備える。
【０００６】
一実施例では、前記センサモジュールは加速度センサを備える。
【０００７】
一実施例では、
前記制御回路は、前記制御モジュールに接続され、前記センサモジュールの中央値位置を設定するボタンモジュールをさらに備える。
【０００８】
一実施例では、前記ボタンモジュールは、中央値ボタンを備え、前記中央値ボタンの正面が上向きである場合、前記センサモジュールは前記中央値位置にある。
【０００９】
一実施例では、前記ＬＥＤライトユニットは、狭角投射ビーズライトと、前記狭角投射ビーズライトの周辺にある１組の広角投射ビーズライトと、を備える。
【００１０】
一実施例では、前記ＬＥＤライトユニットは、赤色ＬＥＤビーズライト、緑色ＬＥＤビーズライト及び青色ＬＥＤビーズライトを備え、前記赤色ＬＥＤビーズライト、緑色ＬＥＤビーズライト及び青色ＬＥＤビーズライトは、前記ＬＥＤライトユニットの発光色を示すことに用いられる。
【００１１】
一実施例では、前記制御回路は、前記制御モジュールに接続され、前記懐中電灯の作動状態を指示する状態指示モジュールをさらに備える。
【００１２】
さらに、ＬＥＤライトユニットを備える懐中電灯であって、
上記制御回路を備える懐中電灯をさらに提供する。
【考案の効果】
【００１３】
上記懐中電灯の制御回路では、センサモジュールは前記懐中電灯の回転角度を検知して検出信号を出力することで、制御モジュールは前記検出信号に基づいて制御信号を出力することで、ＬＥＤライトユニットを駆動しＬＥＤライトユニットの照明パラメータを調整するように前記駆動モジュールを制御する。懐中電灯は、構造が簡単であり、使用者が片手で簡便に操作すると、ＬＥＤライトユニットの照明パラメータを調整することができ、そして、懐中電灯は、完全性が良好であり、優れた防水性を有する。
【図面の簡単な説明】
【００１４】
【図１】本考案の実施例による懐中電灯の制御回路の構造模式図である。
【図２】本考案の実施例による懐中電灯の駆動モジュールの設計模式図である。
【図３】本考案の実施例による懐中電灯の制御方式の動作模式図である。
【図４】本考案の実施例による懐中電灯の輝度制御の動作模式図である。
【図５】本考案の実施例による懐中電灯の照明角度制御の動作模式図である。
【図６】本考案の実施例による懐中電灯の灯光の色制御の動作模式図である。
【考案を実施するための形態】
【００１５】
本考案の目的、技術案及び利点をより明確にするために、以下では、図面及び実施例を参照しながら、本考案をさらに詳細に説明する。なお、ここで説明される特定の実施例は、本考案を説明するために過ぎず、本考案を限定するものではない。
【００１６】
図１に示すように、本考案の実施例は、懐中電灯本体、及び該懐中電灯本体に設けられたＬＥＤライトユニットと懐中電灯の制御回路１００を備える懐中電灯を提供する。該懐中電灯の制御回路１００は、ＬＥＤライトユニット２００に接続され、電源モジュール１０、センサモジュール２０、制御モジュール３０及び駆動モジュール４０を備え、センサを通じて懐中電灯本体の回転角度ａを検出して検出信号を出力することで、制御モジュール３０は該検出信号に基づいて制御信号を出力することで、ＬＥＤライトユニット２００を駆動しＬＥＤライトユニット２００の照明パラメータを調整するように駆動モジュール４０を制御する。
【００１７】
図１及び３に示すように、電源モジュール１０は、給電電源を提供することに用いられ、具体的には、懐中電灯の各部に必要な電気エネルギーを供給する充電電池を備え、センサモジュール２０は電源モジュール１０に接続され、前記懐中電灯の回転角を感知して検出信号を制御モジュール３０に出力し、具体的には、センサモジュール２０は懐中電灯内の回路基板に固定され、懐中電灯を回転させるときに、懐中電灯に連動して回転し、それによって、センサモジュール２０自体の回転角度ａを検出すると、懐中電灯の回転角度ａを反映し、つまり使用者による操作を反映することができる。好ましい実施例では、センサモジュール２０は、懐中電灯の斜き状態、ｘ、ｙ、ｚの３つの軸方向における加速度値を検出し、各方向の加速度値に基づいてセンサモジュール２０の回転角度ａを計算し、この回転角度ａに対応する検出信号を制御モジュール３０に出力する加速度センサである。制御モジュール３０は、センサモジュール２０が出力した検出信号を処理し、この検出信号に基づいて制御信号を駆動モジュール４０に出力し、ＬＥＤライトユニット２００の照明パラメータを調整するようにＬＥＤライトユニット２００を駆動する。本実施例では、加速度センサとしては、ＭＭＡ８４５２Ｑセンサチップが使用され、制御モジュールとしては、マイクロコントローラ、具体的には、ＡＴＭＥＬ  ＡＴＴＩＮＹ４４チップが使用される。
【００１８】
図１及び図２に示すように、駆動モジュール４０はＬＥＤライトユニット２００に接続され、駆動モジュール４０は電源モジュール１０に接続され、ＬＥＤライトユニット２００を駆動し、制御モジュール３０は、センサモジュール２０及び駆動モジュール４０に接続され、検出信号に基づいて制御信号を出力することで、ＬＥＤライトユニット２００を駆動しＬＥＤライトの照明パラメータを調整するように駆動モジュール４０を制御する。該照明パラメータは、輝度、灯光の色又は光源の角度を含むが、これらに制限されない。駆動モジュール４０は、駆動チップＵ１、三極管Ｑ１、三極管Ｑ２、ダイオードＤ１及びインダクタンスＬ１を備え、駆動チップＵ１の入力端子ＰＷＭＩＮは、制御チップに接続されて制御信号を受信し、三極管Ｑ１は第１インダクタンスＬ１の第２端と地面との間に接続され、チップＵ１の制御端子ＧＡＴＥが三極管Ｑ１のオン・オフを制御するように駆動し、三極管Ｑ２は、ＬＥＤライトユニットの負極と地面との間に接続され、チップＵ１の出力端子ＰＷＭＯＵＴが三極管Ｑ２のオン・オフを制御するように駆動し、インダクタンスの第１端は電源ＶＣＣに接続され、第１インダクタンスＬ１の第２端はＤ１を通じてＬＥＤライトユニットの正極に接続される。
【００１９】
制御し易さから、ボタンモジュールは中央値ボタンを備え、中央値ボタンは制御モジュール３０に接続され、センサモジュール２０の中央値位置を設定することに用いられ、中央値ボタンの正面が上向きである場合、センサモジュール２０は中央値位置にあり、ＬＥＤライトユニット２００の照明パラメータも予め設定された中央値位置にあり、センサモジュール２０が中央値位置からずれたときに、制御回路１００は照明パラメータに対して対応する調整を行う。
【００２０】
さらに、制御回路１００は、制御モジュールに接続され、懐中電灯の作動状態を指示する状態指示モジュール５０をさらに備え、状態指示モジュール５０は、明滅や色で懐中電灯の作動状態を指示する状態指示灯を備える。
【００２１】
以下、実際の応用を参照しながら本実施例による懐中電灯の制御原理を説明する。
【００２２】
図４に示すように、使用者は、懐中電灯を手で把持して懐中電灯を時計回り又は反時計回りで回転させることによって、ＬＥＤライトユニット２００の輝度を調整し、懐中電灯を時計回りで回転させると、ＬＥＤライトユニット２００の輝度は徐々に向上し、懐中電灯を反時計回りで回転させると、ＬＥＤライトユニット２００の輝度は徐々に低下し、同様に、中央値位置を基準として、回転角度ａに基づいてＬＥＤライトユニット２００の具体的な輝度値を調整する。
【００２３】
図５に示すように、別の実施例では、ＬＥＤライトユニット２００は、狭角投射ビーズライトＬＥＤ１と、狭角投射ビーズライトＬＥＤ１の周辺にある１組の広角投射ビーズライトＬＥＤ２と、を備え、駆動モジュール４０は、制御信号に基づいて、狭角投射ビーズライトＬＥＤ１と広角投射ビーズライトＬＥＤ２の相対強度を調整することで、ＬＥＤライトユニット２００全体の照射角度を調整し、それにより、懐中電灯の照射角度を調整する。具体的には、使用者は、懐中電灯を手で把持して懐中電灯を時計回り又は反時計回りで回転させることができ、懐中電灯を反時計回りで回転させると、狭角投射ビーズライトＬＥＤ１の強度は徐々に低下し、広角投射ビーズライトＬＥＤ２の強度は徐々に向上し、ＬＥＤライトユニット２００全体の照射角度は向上し、懐中電灯を時計回りで回転させると、狭角投射ビーズライトＬＥＤ１の強度は徐々に向上し、広角投射ビーズライトＬＥＤ２の強度は徐々に低下し、ＬＥＤライトユニット２００全体の照射角度は減少する。なお、ＬＥＤライトユニット２００の照射角度が限界なく調整することができず、狭角投射ビーズライトＬＥＤ１及び広角投射ビーズライトＬＥＤ２の強度の大きさは、中央値位置を基準として、時計回り又は反時計回りの回転角度ａに応じて調整する。
【００２４】
図６に示すように、別の実施例では、ＬＥＤライトユニット２００は、赤色ＬＥＤビーズライトＬＥＤＲ、緑色ＬＥＤビーズライトＬＥＤＧ及び青色ＬＥＤビーズライトＬＥＤＢを備え、制御信号に基づいて赤色ＬＥＤビーズライトＬＥＤＲ、緑色ＬＥＤビーズライトＬＥＤＧ及び青色ＬＥＤビーズライトＬＥＤＢを組み合わせることでＬＥＤライトユニット２００の灯光の色を調整する。具体的には、ＬＥＤライトユニット２００の灯光の色は、強度の異なる赤色ＬＥＤビーズライトＬＥＤＲ、緑色ＬＥＤビーズライトＬＥＤＧ及び青色ＬＥＤビーズライトＬＥＤＢを組み合わせて発生するものであり、赤色ＬＥＤビーズライトＬＥＤＲと青色ＬＥＤビーズライトＬＥＤＢは緑色ＬＥＤビーズライトＬＥＤＧの両側に位置し、使用者は、懐中電灯を手で把持して懐中電灯を時計回り又は反時計回りで回転させることができ、中央値位置を基準として、懐中電灯を中央値位置から時計回りで回転させると、青色ＬＥＤビーズライトＬＥＤＢの強度は向上し、緑色ＬＥＤビーズライトＬＥＤＧ及び赤色ＬＥＤビーズライトＬＥＤＲは低下し、懐中電灯を中央値位置から反時計回りで回転させると、赤色ＬＥＤLビーズライトＬＥＤＲの強度は向上し、緑色ＬＥＤビーズライトＬＥＤＧ及び青色ＬＥＤビーズライトＬＥＤＢは低下し、懐中電灯を中央値位置の両側から中央値位置へ回転させると、緑色ＬＥＤビーズライトＬＥＤＧの強度は向上し、青色ＬＥＤビーズライトＬＥＤＢ及び赤色ＬＥＤビーズライトＬＥＤＲは低下する。赤色ＬＥＤビーズライトＬＥＤＲ、緑色ＬＥＤビーズライトＬＥＤＧ及び青色ＬＥＤビーズライトＬＥＤＢの強度の大きさは、中央値位置を基準として、時計回り又は反時計回りの回転角度ａに応じて調整し、それによって、赤、橙、黄、緑、シアン、青、紫、白などの複数の灯光の色が調整される。
【００２５】
以上は、本考案の好適実施例に過ぎず、本考案を制限するものではなく、本考案の精神及び原則を逸脱することなく行われるすべての修正、均等な置換や改良などは、本考案の特許範囲に属するものとする。
【図１】
0003230572.tif 000003
【図２】
0003230572.tif 000004
【図３】
0003230572.tif 000005
【図４】
0003230572.tif 000006
【図５】
0003230572.tif 000007
【図６】
0003230572.tif 000008